(57)【要約】【課題】本体と記憶装置との間の接続状態を使用者が容易に認識し、以って自らの意志に従って生体情報の記憶を行い得る生体情報取得装置を提供すること。【解決手段】本発明による生体情報取得装置は、生体情報を取得するための生体情報取得手段が組込まれた本体と、この本体に対して別体且つ着脱自在に構成されると共に前記生体情報取得手段で取得した生体情報を記憶するための生体情報記憶手段が組込まれた記憶装置とを備えてなる生体情報取得装置であって、前記本体と前記記憶装置との間の接続確認を行うための接続確認手段と、この接続確認手段で確認された接続状態を報知するための接続報知手段とを更に備えてなる。接続確認手段が本体と記憶装置との間の接続確認を行い、接続報知手段がこの確認された接続状態を報知するので、使用者に記憶装置の接続状態を容易に認識させることができる。【選択図】図３
2005224361.tif 000002
【特許請求の範囲】
【請求項１】
生体情報を取得するための生体情報取得手段が組込まれた本体と、
この本体に対して別体且つ着脱自在に構成されると共に前記生体情報取得手段で取得した生体情報を記憶するための生体情報記憶手段が組込まれた記憶装置と
を備えてなる生体情報取得装置であって、
前記本体と前記記憶装置との間の接続確認を行うための接続確認手段と、この接続確認手段で確認された接続状態を報知するための接続報知手段と
を更に備えてなることを特徴とする生体情報取得装置。
【請求項２】
前記接続確認手段は、前記生体情報取得手段による生体情報の取得前において、前記接続確認を行うことを特徴とする請求項１記載の生体情報取得装置。
【請求項３】
取得された生体情報を表示するための生体情報表示手段を更に備え、
この生体情報表示手段に前記接続報知手段が一体的に組込まれてなる
ことを特徴とする請求項１又は２記載の生体情報取得装置。
【請求項４】
前記接続報知手段は、前記接続確認手段で確認された前記本体と前記記憶装置との未接続を報知することを特徴とする請求項１乃至３記載の生体情報取得装置。
【請求項５】
前記接続確認手段は、前記生体情報取得手段による生体情報の取得後においても、前記接続確認を行うことを特徴とする請求項２記載の生体情報取得装置。
【請求項６】
前記接続確認手段は、生体情報の取得前における前記接続確認で前記本体と前記記憶装置との未接続が確認された場合には、生体情報の取得後における前記接続確認を行わないことを特徴とする請求項５記載の生体情報取得装置。
【請求項７】
取得された生体情報を表示するための生体情報表示手段を更に備え、
前記接続確認手段は、生体情報の取得後における前記接続確認で前記本体と前記記憶装置との未接続が確認された場合には、前記生体情報表示手段による生体情報の表示を禁止することを特徴とする請求項６記載の生体情報取得装置。
【請求項８】
前記接続確認手段は、生体情報の取得前における前記接続確認で前記本体と前記記憶装置との未接続が確認された場合には、前記生体情報表示手段による生体情報の表示を許可することを特徴とする請求項７記載の生体情報取得装置。
【請求項９】
前記生体情報表示手段に前記接続報知手段が一体的に組込まれてなる
ことを特徴とする請求項７又は８記載の生体情報取得装置。
【請求項１０】
前記接続報知手段は、前記接続確認手段で確認された前記本体と前記記憶装置との未接続を報知することを特徴とする請求項５乃至９記載の生体情報取得装置。
【発明の詳細な説明】
【技術分野】
【０００１】
本発明は、使用者の生体情報を取得するための生体情報取得装置に関し、特に本体とこの本体に対して別体且つ着脱自在に構成された記憶装置とを備えた生体情報取得装置に関する。
【背景技術】
【０００２】
使用者の体重、体脂肪率、脈拍、歩数等といった生体情報を取得する各種の生体情報取得装置が開発され、実用化されている。これらの生体情報取得装置には、体重計のように、使用者の生体情報である体重を直接的に測定するものや、体脂肪計のように、測定した使用者の生体情報である体重及び生体電気インピーダンス値と、使用者が入力した身長、年齢、性別等の生体情報とを演算処理することによって、体脂肪量（率）、体水分量（率）、筋肉量（率）、内臓脂肪面積、骨密度、基礎代謝量等といった所望の生体情報を取得するものがある（例えば、特許文献１及び２参照。）。
【０００３】
また、近年は、これらの生体情報取得装置で取得した生体情報をパソコン等の外部の情報処理装置に送信して蓄積することにより、例えば生体情報の長期継続的な変化履歴の管理を可能とするものもある。このようなものとして、歩数計本体に内蔵した体動センサと演算ユニットを用いて使用者の歩数や歩行ペースといった生体情報を取得しつつ、この生体情報を通信ケーブル又は光通信ユニットを用いてパソコンに送信し、別途パソコンに入力された使用者の身長、体重、年齢、性別等の生体情報と併せて演算処理をして、消費カロリーやその変化履歴といった生体情報を取得するシステム等が提案されている（特許文献３参照。）。
【０００４】
更に、本願出願人は、使用者の体重、体脂肪率、脈拍、歩数等といった生体情報を取得する各種の生体情報取得装置に関し、本体とこの本体に対して別体且つ着脱自在に構成された記憶装置とを備えた生体情報取得装置を提案している（特許文献４参照。）。これによれば、本体で取得した生体情報を記憶装置に記憶させ、この記憶装置を本体から取外してパソコン等の外部の情報処理装置に接続することにより、本体で取得した生体情報を外部の情報処理装置に容易に送出して蓄積し、前述の変化履歴の管理等に供することができる。
【０００５】
【特許文献１】特公平５−４９０５０号公報
【特許文献２】特開２００１−７０２７３号公報
【特許文献３】特開２０００−４１９５３号公報
【特許文献４】特願２００３−５２４１０号明細書
【発明の開示】
【発明が解決しようとする課題】
【０００６】
上記従来の生体情報取得装置のうち、特に本体とこの本体に対して別体且つ着脱自在に構成された記憶装置とを備えた生体情報取得装置においては、記憶装置への生体情報の記憶を簡便なものとするため、例えば生体情報を取得した際に本体に記憶装置が接続されていれば生体情報の記憶が自動的に行われる構成とすることが考えられる。
【０００７】
しかしながら、斯かる構成であると、使用者が記憶装置の接続を忘れたままで生体情報の取得を行ってしまった場合、生体情報は記憶されないことになる。このため、例えば使用者が生体情報の変化履歴を管理することを目的としてこの生体情報取得装置を使用している場合には、使用者の意志に反して蓄積すべき生体情報に欠落を生じてしまい、望ましい履歴管理ができなくなる虞がある。逆に、使用者が生体情報を記憶させたくないような場合でも、本体から記憶装置を取外すのを忘れていると、やはり使用者の意志に反して取得した生体情報は自動的に記憶されてしまう。
【０００８】
また、本体と記憶装置との間に接続不良や記憶装置の脱落等といった異常が発生している場合にも、生体情報は記憶装置に記憶されないため、上記の如く使用者が生体情報の変化履歴を管理することを目的としてこの生体情報取得装置を使用している場合には、蓄積すべき生体情報に欠落を生じてしまい、望ましい履歴管理ができなくなる虞がある。
【０００９】
従って、本発明は、本体とこの本体に対して別体且つ着脱自在に構成された記憶装置とを備えた生体情報取得装置において、本体と記憶装置との間の接続状態を使用者が容易に認識し、以って自らの意志に従って生体情報の記憶を行い得る生体情報取得装置を提供することを、主たる目的とする。
【００１０】
また、本発明は、本体と記憶装置との間の接続に関する異常状態についても使用者が容易に認識し得る生体情報取得装置を提供することを、副次的な目的とする。
【課題を解決するための手段】
【００１１】
本発明による生体情報取得装置は、生体情報を取得するための生体情報取得手段が組込まれた本体と、この本体に対して別体且つ着脱自在に構成されると共に前記生体情報取得手段で取得した生体情報を記憶するための生体情報記憶手段が組込まれた記憶装置とを備えてなる生体情報取得装置であって、前記本体と前記記憶装置との間の接続確認を行うための接続確認手段と、この接続確認手段で確認された接続状態を報知するための接続報知手段とを更に備えてなるものである。
【００１２】
特に、前記接続確認手段は、前記生体情報取得手段による生体情報の取得前において、前記接続確認を行うものであることが望ましい。
【００１３】
ここで、取得された生体情報を表示するための生体情報表示手段を更に備え、この生体情報表示手段に前記接続報知手段が一体的に組込まれてなるものであることが望ましい。
【００１４】
また、ここで、前記接続報知手段は、前記接続確認手段で確認された前記本体と前記記憶装置との未接続状態を報知するものであることが望ましい。
【００１５】
或いは、前記接続確認手段は、前記生体情報取得手段による生体情報の取得後においても、前記接続確認を行うものであることが望ましい。
【００１６】
このとき、前記接続確認手段は、生体情報の取得前における前記接続確認で前記本体と前記記憶装置との未接続が確認された場合には、生体情報の取得後における前記接続確認を行わないものであることが望ましい。
【００１７】
また、このとき、取得された生体情報を表示するための生体情報表示手段を更に備え、前記接続確認手段は、生体情報の取得後における前記接続確認で前記本体と前記記憶装置との未接続が確認された場合には、前記生体情報表示手段による生体情報の表示を禁止するものであることが望ましい。
【００１８】
更にまた、このとき、前記接続確認手段は、生体情報の取得前における前記接続確認で前記本体と前記記憶装置との未接続が確認された場合には、前記生体情報表示手段による生体情報の表示を許可するものであることが望ましい。
【００１９】
ここで、前記生体情報表示手段に前記接続報知手段が一体的に組込まれてなるものであることが望ましい。
【００２０】
また、ここで、前記接続報知手段は、前記接続確認手段で確認された前記本体と前記記憶装置との未接続を報知するものであることが望ましい。
【発明の効果】
【００２１】
本発明の生体情報取得装置であれば、接続確認手段が本体と記憶装置との間の接続確認を行い、接続報知手段がこの確認された接続状態を報知するので、使用者に記憶装置の接続状態を容易に認識させることができる。
【００２２】
特に、接続確認手段が生体情報の取得前に接続確認を行うものであれば、使用者がこれから取得する生体情報を記憶させたいのか否かの意志を確認することとなり、この確認された使用者の意志としての接続状態を予め使用者自身に認識させることができるので、記憶装置の接続忘れや取外し忘れを効果的に防止することができる。
【００２３】
ここで、取得された生体情報を表示するための生体情報表示手段を更に備え、この生体情報表示手段に接続報知手段を一体的に組込んだ場合には、使用者の注目を集め易い生体情報表示手段を利用して接続状態を報知することになるので、本体と記憶装置との間の接続状態を使用者に確実に知らしめることができる。
【００２４】
また、ここで、接続報知手段が本体と記憶装置との未接続状態を報知するものである場合には、記憶装置の接続忘れ等によって蓄積すべき生体情報が欠落するのをより確実に防止することが可能となり、生体情報の変化履歴を管理するような場合に適したものとすることができる。
【００２５】
或いは、接続確認手段が生体情報の取得後にも接続確認を行うものであれば、使用者の意志に加えて生体情報取得装置の異常を確認することが可能な生体情報取得装置とすることができる。即ち、もしも生体情報取得の前後で確認された接続状態が互いに異なる場合には、生体情報を取得する過程で記憶装置の脱落や生体情報取得装置の故障等の異常状態が発生している可能性がある。従って、生体情報の取得前後において接続確認を行うことにより、生体情報取得前の接続確認を使用者の意志確認とし、生体情報取得後の接続確認をこの生体情報取得装置の異常確認として利用することができる。
【００２６】
このとき、生体情報取得前の接続確認で本体と記憶装置との未接続が確認された場合は生体情報取得後の接続確認を行わないようにすれば、異常確認たる生体情報取得後の接続確認を必要充分なものに限定してシンプルな生体情報取得装置とすることができる。即ち、異常状態として発生する可能性が高く、且つ、確実な防止が必要と考えられるのは、本体と記憶装置との接続不良（記憶装置の脱落も含む。）である。このような接続不良は、使用者が自らの意志として始めから記憶装置を接続していない場合、従って生体情報取得前の接続確認で未接続が確認されている場合には、そもそも発生し得ない。そして、そのような場合においてまで生体情報取得後の接続確認を行うことは、使用者が自らの意志で記憶装置を取外しているにも拘らず再度の接続報知を行うことに繋がり、使用者に煩わしさを感じさせることになりかねない。従って、生体情報取得前の接続確認で本体と記憶装置との未接続が確認された場合は生体情報取得後の接続確認を行わないようにすることで、異常確認としての生体情報取得後の接続確認を必要充分なものに限定してシンプルな生体情報取得装置とし、使用者に煩わしさを感じさせない装置とすることができる。
【００２７】
また、このとき、取得された生体情報を表示するための生体情報表示手段を更に備え、生体情報取得後の接続確認で本体と記憶装置との未接続が確認された場合はこの生体情報表示手段による生体情報の表示を禁止するようにすれば、本来は表示される筈の生体情報が表示されず、本体と記憶装置との接続状態（未接続）のみが報知されるため、この生体情報取得装置が異常状態にあるということを使用者に強く印象付けることができる。
【００２８】
更にまた、このとき、生体情報取得前の接続確認で本体と記憶装置との未接続が確認された場合はこの生体情報表示手段による生体情報の表示を許可するようにすれば、使用者が自らの意志として始めから記憶装置を接続していない場合には、再度の接続報知が行われることなく取得された生体情報だけが表示されるので、使用者に煩わしさや違和感を与えることのない生体情報取得装置とすることができる。
【００２９】
ここで、生体情報表示手段に接続報知手段を一体的に組込んだ場合には、使用者の注目を集め易い生体情報表示手段を利用して接続状態を報知することになるので、本体と記憶装置との間の接続状態を使用者に確実に知らしめることができる。
【００３０】
また、ここで、接続報知手段が本体と記憶装置との未接続状態を報知するものである場合には、記憶装置の接続忘れ等によって蓄積すべき生体情報が欠落するのをより確実に防止することが可能となり、生体情報の変化履歴を管理するような場合に適したものとすることができる。
【発明を実施するための最良の形態】
【００３１】
本発明による生体情報取得装置は、生体情報を取得するための生体情報取得手段が組込まれた本体と、この本体に対して別体且つ着脱自在に構成されると共に前記生体情報取得手段で取得した生体情報を記憶するための生体情報記憶手段が組込まれた記憶装置とを備えてなる生体情報取得装置であって、前記本体と前記記憶装置との間の接続確認を行うための接続確認手段と、この接続確認手段で確認された接続状態を報知するための接続報知手段とを更に備えてなるものである。
【００３２】
特に、前記接続確認手段は、前記生体情報取得手段による生体情報の取得前において、前記接続確認を行うものであることが望ましい。
【００３３】
ここで、取得された生体情報を表示するための生体情報表示手段を更に備え、この生体情報表示手段に前記接続報知手段が一体的に組込まれてなるものであることが望ましい。
【００３４】
また、ここで、前記接続報知手段は、前記接続確認手段で確認された前記本体と前記記憶装置との未接続状態を報知するものであることが望ましい。
【００３５】
或いは、前記接続確認手段は、前記生体情報取得手段による生体情報の取得後においても、前記接続確認を行うものであることが望ましい。
【００３６】
このとき、前記接続確認手段は、生体情報の取得前における前記接続確認で前記本体と前記記憶装置との未接続が確認された場合には、生体情報の取得後における前記接続確認を行わないものであることが望ましい。
【００３７】
また、このとき、取得された生体情報を表示するための生体情報表示手段を更に備え、前記接続確認手段は、生体情報の取得後における前記接続確認で前記本体と前記記憶装置との未接続が確認された場合には、前記生体情報表示手段による生体情報の表示を禁止するものであることが望ましい。
【００３８】
更にまた、このとき、前記接続確認手段は、生体情報の取得前における前記接続確認で前記本体と前記記憶装置との未接続が確認された場合には、前記生体情報表示手段による生体情報の表示を許可するものであることが望ましい。
【００３９】
ここで、前記生体情報表示手段に前記接続報知手段が一体的に組込まれてなるものであることが望ましい。
【００４０】
また、ここで、前記接続報知手段は、前記接続確認手段で確認された前記本体と前記記憶装置との未接続を報知するものであることが望ましい。
【実施例】
【００４１】
以下、図面を用いて本発明の実施例を説明する。図１は、本発明の好適な実施例としての生体情報取得装置１０を外部の情報処理装置３０と共に示す外観図である。図２は、この生体情報取得装置１０の回路構成を表す概略図である。図３は、この生体情報取得装置１０で実行される制御処理を表すフローチャートである。図４は、この生体情報取得装置の液晶表示部の表示例を表す図である。
【００４２】
図１及び図２に示すように、この生体情報取得装置１０は、本体１１と、この本体１１に対して別体且つ着脱自在に構成された記憶装置１とを備えており、本体１１で取得される使用者の年齢、性別、身長、体重、生体電気インピーダンス、体脂肪量（率）、体水分量（率）、筋肉量（率）、内臓脂肪面積（レベル）、骨量、骨密度、基礎代謝量等の生体情報を、破線で示す如く記憶装置１を介して外部の情報処理装置３０に送ることができるものである。
【００４３】
まず、本体１１は、使用者の年齢、性別、身長等が入力されると共にその体重及び生体電気インピーダンスが測定され、これら入力及び測定されたデータに基づいて使用者の体脂肪量（率）、体水分量（率）、筋肉量（率）、内臓脂肪面積（レベル）、骨量、骨密度、基礎代謝量等が算出されるように構成された、公知の所謂体脂肪計付き体重計を改良したものである。尚、本実施例においては、上記入力される生体情報を以下「個人データ」と総称し、上記測定又は算出される生体情報を以下「測定データ」と総称することとする。
【００４４】
この本体１１は、基本的には公知のロードセル１２（図２参照）が組込まれた体重計として構成されており、その上面１１ａには、使用者が個人データを入力するための入力スイッチ群１３と、使用者の足裏に接触して生体電気インピーダンスを測定するための電極群１４と、個人データや測定データを表示するための液晶表示部１５と、後述の記憶装置１を取付けるための取付け部１６とが備えられている。また、側面１１ｂには、電源投入スイッチを兼ねた４つの個人キースイッチ１７ａ，１７ｂ，１７ｃ，１７ｄからなる個人キースイッチ群１７と、電源遮断スイッチ１８とが配設されている。
【００４５】
ここで、電極群１４は、使用者の左足裏に接触する電極１４ａ，１４ｂと、右足裏に接触する電極１４ｃ，１４ｄとからなり、このうち、各足の爪先側に接触する電極１４ａ，１４ｃを用いて両足間に微弱電流を流し、各足の踵側に接触する電極１４ｂ，１４ｄを用いて両足間の電位差（電圧）を測定し、これら電流値と電圧値とから生体電気インピーダンスを測定することが可能となっている。
【００４６】
そして、これら左足用電極１４ａ，１４ｂと右足用電極１４ｃ，１４ｄとに挟まれた本体上面１１ａの略中央に、後述する記憶装置１の取付け部１６が形成されている。この取付け部１６は、後述の記憶装置１を横倒した状態で嵌め込むことができる程度の大きさの、開閉蓋１６ａを備えた嵌め込み孔１６ｂとして形成されており、この嵌め込み孔１６ｂの内面に、記憶装置１との接続に用いる端子２１（図２参照）が設けられている。
【００４７】
尚、上記のように、記憶装置１の取付け部１６を本体上面１１ａに備えておくと、本体１１の側面や裏面に備えた場合に比して、記憶装置１の着脱が容易に行える。また、この取付け部１６を上記のように記憶装置１を横倒して嵌め込むことができる構造としておくと、本体１１の厚みをさほど増すことなく、記憶装置１の取付け時に記憶装置１が上面１１ａから突出するのを防ぐことができ、使用者が誤って足裏を引掛ける等して記憶装置１を破損するような事態を招き難くすることができる。また、開閉蓋１６ａを備えれば、このような破損の虞は更に大幅に軽減される。
【００４８】
もちろん、この取付け部１６を形成する位置や形状等はこの実施例に限定される必要はなく、記憶装置１や本体１１の大きさ等に応じて適切な位置や形状とすることができる。例えば、前記入力スイッチ群１３及び液晶表示部１５が本体１１から分離可能或いは独立したユニットで構成された生体情報取得装置があるが、このような生体情報取得装置においては、斯かるユニットに前記取付け部１６を設けても良い。
【００４９】
一方、記憶装置１は、ＵＳＢ（Universal Serial Bus）規格の端子を備えたパソコン用の外付けメモリとして既に種々の製品化がなされている公知の所謂ＵＳＢメモリ装置を改良したもので、概ねチューインガムのパッケージ程度の大きさと形状であり、長手方向の一端側にオス型のＵＳＢ端子２を有し、このＵＳＢ端子２に対応する端子を備えた本体１１及び情報処理装置３０に容易に接続可能とされている。そして、これら本体１１及び情報処理装置３０をホスト側機器として、夫々との間でデータ伝送を行うものである。
【００５０】
また、生体情報取得装置１０（本体１１及び記憶装置１）は、内部に図２の如き回路構成を備えている。
【００５１】
まず、本体１１には、使用者による個人データの入力を受付け、或いは測定データの測定・算出を行うためのＣＰＵ、ＲＯＭ、ＲＡＭ等からなるマイコン２０が搭載されている。このマイコン２０には、記憶装置１のＵＳＢ端子２に対応した端子２１がデータバスＤ５を介して接続されている他、前記ロードセル１２に接続された秤回路２２と、前記入力スイッチ群１３に接続された入力回路２３と、前記電極群１４に接続されたインピーダンス回路２４と、前記液晶表示部１５に接続された表示出力回路２５と、記憶装置１とは別に個人データや測定データを本体１１に保存しておくための内部メモリたるＥＥＰＲＯＭ２６と、前記個人キースイッチ群１７及び電源遮断スイッチ１８と電池２８とに接続された電源回路２７とが、夫々のデータバス又は制御信号バスを介して接続されている。また、これらマイコン２０、端子２１及び各回路２２〜２５は、電力供給ラインＶ１を介して電源回路２７に接続されている。
【００５２】
そして、マイコン２０は、ロードセル１２及び秤回路２２で測定された体重、入力スイッチ群１３及び入力回路２３で入力された個人データ、並びに電極群１４及びインピーダンス回路２４で測定された生体電気インピーダンスに基づいて、体脂肪率等を算出する。また、マイコン２０は、入力された個人データ及び測定・算出された測定データ（即ち、生体情報）を、表示出力回路２５を介して液晶表示部１５に出力して表示する。更に、マイコン２０は、これらの生体情報を、ＥＥＰＲＯＭ２６に保存すると共に端子２１を介して記憶装置１に送信する。この他にも、マイコン２０は、例えば内臓クロックによって常時日付データを計時・更新する等、種々の機能を担うものである。
【００５３】
一方、記憶装置１には、前記ＵＳＢ端子２と、ホスト側機器である本体１１又は情報処理装置３０との間で伝送されるデータ信号の選択に用いるアナログスイッチ３と、データ信号の処理や保存に関する制御を実行するためのマイコン４と、ＥＥＰＲＯＭ５とが搭載されている。もちろん、このＥＥＰＲＯＭ５は、不揮発性メモリ等の書換え可能でデータ保持が可能な記憶媒体であれば良く、例えばフラッシュメモリ等を用いても良い。
【００５４】
ＵＳＢ端子２はデータバスＤ１を介してアナログスイッチ３に接続され、アナログスイッチ３はデータバスＤ２及びＤ３と制御信号バスＣ１とを介してマイコン４に接続され、マイコン４はデータバスＤ４を介してＥＥＰＲＯＭ５に接続されている。尚、アナログスイッチ３、マイコン４及びＥＥＰＲＯＭ５は電力供給ライン（不図示）を介してＵＳＢ端子２に接続されており、従ってこの記憶装置１は、ＵＳＢ規格に則った他の多くの機器と同様に、ＵＳＢ端子２を介してホスト側機器からの電力供給を受けて動作する。
【００５５】
そして、この記憶装置１のＵＳＢ端子２を本体１１の端子２１に接続すると、本体１１で取得された生体情報が、ＵＳＢ端子２、データバスＤ１、アナログスイッチ３、データバスＤ２を介してマイコン４で受信されると共に、マイコン４からデータバスＤ４を介してＥＥＰＲＯＭ５に格納されるものである。
【００５６】
即ち、本実施例の生体情報取得装置１０においては、ロードセル１２及び秤回路２２と、入力スイッチ群１３及び入力回路２３と、電極群１４及びインピーダンス回路２４と、マイコン２０とが、生体情報を取得するための生体情報取得手段を構成し、マイコン４とＥＥＰＲＯＭ５とが生体情報を記憶するための生体情報記憶手段を構成している。また、液晶表示部１５及び表示出力回路２５とマイコン２０とが生体情報を表示するための生体情報表示手段を構成している。
【００５７】
尚、本体１１のマイコン２０を構成するＣＰＵは、パソコン等に搭載されるＣＰＵほどその処理能力は高くなく、ＵＳＢ規格のデータ伝送には対応していない。従って、本体１１から記憶装置１へのデータ伝送は、ＲＳ２３２Ｃ等のシリアル信号を用いたシリアル伝送によるものとなっている（図１破線ＳＥＲＩＡＬ）。そこで、本実施例の記憶装置１は、後述の如く情報処理装置３０との間ではＵＳＢ規格のデータ伝送を行えるよう（図１破線ＵＳＢ）、ＵＳＢ端子２とマイコン４との間にデータバス切換え用のアナログスイッチ３を備えており、制御信号バスＣ１を介してこのアナログスイッチ３を制御することにより、本体１１との間のシリアル信号を用いたデータ伝送にはデータバスＤ２を、情報処理装置３０との間のＵＳＢ規格によるデータ伝送にはデータバスＤ３を、夫々切換えて使用することが可能となっている。
【００５８】
もちろん、本実施例の記憶装置１は、上述の如く所謂ＵＳＢメモリ装置を改良したものに限る必要はなく、本体１１に対して別体且つ着脱自在に構成されると共に生体情報を記憶するためのフラッシュメモリやＥＥＰＲＯＭ等が組込まれたものであればよく、公知の様々なタイプのメモリーカード等を用いることも可能である。
【００５９】
他方、図１に示す情報処理装置３０は、ＵＳＢ規格のデータ伝送に対応した所謂デスクトップパソコンであって、メス型のＵＳＢ端子３１を備えている。また、この情報処理装置３０には、生体情報の変化履歴をモニタ上にグラフ表示する等の機能を備えた履歴管理ソフトウェアや、記憶装置１を制御するためのドライバソフトウェアがインストールされている。
【００６０】
情報処理装置３０においてこの履歴管理ソフトウェアを起動し、且つ、記憶装置１のＵＳＢ端子２を情報処理装置３０のＵＳＢ端子３１に接続すると、記憶装置１のマイコン４は、ＥＥＰＲＯＭ５に格納されている生体情報をデータバスＤ４を介して読み出すと共に、データバスＤ３、アナログスイッチ３、データバスＤ１、ＵＳＢ端子２を介して情報処理装置３０に送信する（図１破線ＵＳＢ）。そして、情報処理装置３０では、履歴管理ソフトウェアに従って、受信した生体情報の履歴管理等がなされる。
【００６１】
尚、情報処理装置３０にインストールしておくプログラムソフトウェアとしては、上述の如き履歴管理ソフトウェアだけでなく、受信した生体情報に基づいて例えば使用者に健康管理アドバイスを提供するものや、インターネット等を通じてこれらの生体情報を他者（主治医等）に送信するもの等、種々のものが考えられる。
【００６２】
次に、この生体情報取得装置１０で実行される制御処理について、図３のフローチャートを参照して説明する。また、併せて、液晶表示部１５の表示例を、図４を参照して説明する。
【００６３】
使用者が本体１１の個人キースイッチ１７ａ〜１７ｄの何れかを押下すると、電源回路２７を介して電池２８の電力が本体１１の各部に供給され、マイコン２０では、押下された個人キースイッチに対応する個人番号が特定されると共に、図３のフローチャートに従った制御処理が実行される。
【００６４】
先ず、ステップＳ１では、この本体１１の制御システム全体の初期化が行われる。この初期化処理により、例えばロードセル１２を用いた体重計の零点補正等、この後に行う生体情報の取得処理に必要な準備を整える。この時点で、生体情報の取得前における記憶装置１の接続確認結果を表すフラグ（後述）もクリアされる。
【００６５】
次いで、ステップＳ２では、本体１１と記憶装置１との間の接続確認が行われる。具体的には、マイコン２０は、データバスＤ５及び端子２１を介して、記憶装置１に所定の接続確認コマンドパルスを送信する。記憶装置１のマイコン４は、この接続確認コマンドパルスを受信した場合、直ちに所定の接続応答コマンドパルスを本体１１に返信する。従って、マイコン２０は、接続確認コマンドパルス送信後の極めて短い所定時間（例えば、１００ミリ秒）内に接続応答コマンドパルスを受信できなかった場合に、記憶装置１が接続されていないと判断し、ステップＳ３に進む。
【００６６】
即ち、本実施例においては、これらコマンドパルスの送受信を行うマイコン２０とマイコン４とが、本体１０と記憶装置１との間の接続確認を行うための接続確認手段を構成している。そして、このステップＳ２の処理が、生体情報の取得前における接続確認に相当している。
【００６７】
次いで、ステップＳ３では、マイコン２０は、表示出力回路２５を介して液晶表示部１５に、図４（ａ）の如く本体１１と記憶装置１との未接続を表す「メモリ未接続」の文字を表示し、以って接続確認手段たるマイコン２０及びマイコン４で確認された接続状態を報知する。
【００６８】
即ち、本実施例においては、液晶表示部１５及び表示出力回路２５とマイコン２０とが接続報知手段を構成している。前述の通り、これら液晶表示部１５及び表示出力回路２５とマイコン２０とは生体情報表示手段でもあって、この液晶表示部１５には生体情報が表示されるため、使用者の注目を集め易い。従って、図４（ａ）の如き文字表示を液晶表示部１５に行うことで、本体１１と記憶装置１との間の接続状態、特に本体１１と記憶装置１との未接続を、使用者に容易に確実に知らしめることができる。
【００６９】
そして、使用者は、斯かる未接続が自らの意志に沿うものである場合（即ち、生体情報を記憶させたくない場合）はそのまま操作を続ければよく、また斯かる未接続が自らの意志に反する場合（即ち、生体情報を記憶させたい場合）には、この時点で電源遮断スイッチ１８により電源を遮断してこの生体情報取得装置１０の操作を一旦終了し、記憶装置１を取付け部１６に取付けることによって本体１１と記憶装置１とを接続した後、再度個人キーを押下して操作を開始すればよい。この結果、記憶装置１の接続忘れや取外し忘れを防止することができる。特に、本実施例においては本体１１と記憶装置１との未接続を報知しているので、記憶装置１の接続忘れによって蓄積すべき生体情報い欠落が生じるのが確実に防止される。
【００７０】
尚、本体１１と記憶装置１との間の接続状態の報知は、図４（ａ）の如き文字表示に限らず、より簡略化された記号を表示するものであってもよい。また、接続報知手段は、液晶表示部１５及び表示出力回路２５とは別に、例えば入力スイッチ群１３の近傍や記憶装置１自体に、報知の際に点灯するＬＥＤ等として配設することも可能である。更に、接続報知手段は、使用者の視覚に訴えるものに限らず、警告音を発するブザー等、聴覚に訴えるものであってもよく、これら文字表示、ＬＥＤ、ブザー等を適宜に組み合わせたものであってもよい。
【００７１】
次いで、ステップＳ４では、マイコン２０は、生体情報の取得前である前記ステップＳ２の接続確認で記憶装置１の未接続が確認されたことを表すフラグをセットして、その後ステップＳ５に進む。
【００７２】
一方、前記ステップＳ２において所定時間内に接続応答コマンドパルスが受信された場合には、マイコン２０は、記憶装置１が接続されていると判断し、ステップＳ３及びＳ４をスキップしてステップＳ５に進む。
【００７３】
尚、液晶表示部１５における表示が煩雑になるのを避けるために本実施例においては割愛しているが、前記ステップＳ２において記憶装置１の接続が確認された場合には、液晶表示部１５に本体１１と記憶装置１との接続を表す「メモリ接続中」等の文字表示を行うこととしてもよい。
【００７４】
ステップＳ５では、マイコン２０は、所定の待機時間（例えば、３０秒間）、使用者による個人データの入力開始又は測定データの測定開始に備える。この待機時間内に、入力スイッチ群１３からの入力も、ロードセル１２や電極群１４からの入力もなかった場合、マイコン２０は、以後の全てのステップをスキップしてこの制御処理を終了し、電源を遮断する。一方、入力スイッチ群１３、又はロードセル１２及び電極群１４からの入力があった場合には、ステップＳ６に進む。
【００７５】
ステップＳ６では、マイコン２０は、生体情報の取得を行う。即ち、前記ステップＳ５において入力スイッチ群１３からの入力があった場合は、斯かる入力に従って個人データを取得する。一方、前記ステップＳ５においてロードセル１２及び電極群１４からの入力があった場合には、先ずこれらの入力に基づいて体重及び生体電気インピーダンスを測定し、これら体重及び生体電気インピーダンスと内蔵メモリたるＥＥＰＲＯＭ２６に保存されている個人データとに基づいて、体脂肪率等を算出する。
【００７６】
次いで、ステップＳ７では、マイコン２０は、前記ステップＳ１でクリアされ、その後前記ステップＳ３に進んだ場合は前記ステップＳ４でセットされたフラグの状態を確認する。ここで、フラグがクリアされている場合、即ち、生体情報の取得前である前記ステップＳ２において記憶装置１の接続が確認されていた場合は、ステップＳ８に進む。一方、フラグがセットされている場合、即ち、生体情報の取得前である前記ステップＳ２において記憶装置１の未接続が確認されていた場合は、後述するステップＳ１２に進む。
【００７７】
ステップＳ８では、前記ステップＳ２と同様の方法で、本体１１と記憶装置１との間の接続確認が再び行われる。即ち、このステップＳ８の処理が、生体情報の取得後における接続確認に相当する。そして、記憶装置１の接続が確認されない場合はステップＳ９に、確認された場合にはステップＳ１０に、夫々進む。
【００７８】
ステップＳ９では、マイコン２０は、前記ステップＳ３と同様に、液晶表示部１５に図４（ａ）の如く「メモリ未接続」と所定時間（例えば、１０秒間）表示させ、その後全ての制御処理を終了して電源を遮断する。
【００７９】
即ち、接続確認手段たるマイコン２０は、生体情報の取得後である前記ステップＳ８で本体１１と記憶装置１との未接続が確認されていることから、前記ステップＳ６で取得した生体情報を液晶表示部１５に表示させることなく（禁止）、全ての制御処理を終了させるものである。斯かる禁止処理を行う理由について、以下に詳述する。
【００８０】
このステップＳ９へ進んでくるのは、生体情報の取得前である前記ステップＳ２で本体１１と記憶装置１との接続が確認され、且つ、生体情報の取得後である前記ステップＳ８で本体１１と記憶装置１との接続が確認されなかった場合、つまり、個人キー１７の押下によってこの生体情報取得装置１０の操作を開始した時点では本体１１に接続されていた記憶装置１が、生体情報の取得操作（個人データの入力や測定データの測定）を終えた時点では未接続となっている場合である。
【００８１】
このような現象が生じる原因としては、本体１１の端子２１と記憶装置１の端子２との間の接触不良や記憶装置１の脱落、又は本体１１若しくは記憶装置１の故障等が発生している場合と、或いは使用者が途中で記憶装置１を本体１１から取外した場合とが考えられる。前者の場合も後者の場合も、この生体情報取得装置１０にとっては異常状態である。本体１１や記憶装置１の故障は言うに及ばず、端子間の接触不良や記憶装置１の脱落は使用者の意志に反するものであるし、また、仮に使用者が自らの意志で記憶装置１を取外したとしても、これにより例えば前記ステップＳ１で初期化済みの体重計の零点が記憶装置１の重量分だけ狂ってしまっているわけであるから（これは、脱落の場合も同様である。）、前記ステップＳ６で取得された生体情報は正確なものであるとは言い難い。
【００８２】
このような異常状態にあるにも拘らず、前記ステップＳ６で取得した生体情報を表示してしまうと、使用者が異常状態にあるということに気が付かないままとなってしまう虞があるばかりか、斯かる異常状態下で取得された正確性に乏しい生体情報を使用者に信頼させてしまうことになりかねない。
【００８３】
従って、このステップＳ９に進んできた場合には、この生体情報取得装置１０が異常状態にあるということを使用者に印象付け、更には斯かる異常状態下で取得された正確性に乏しい生体情報を使用者に知らせないようにするため、このステップＳ９において「メモリ未接続」を表示させた後は、前記ステップＳ６で取得した生体情報の液晶表示部１５への表示を禁止して、生体情報の表示を行わずに全ての制御処理を終了し、電源を遮断するものである。
【００８４】
尚、このステップＳ９における接続報知も、前記ステップＳ３における接続報知と同様に、ＬＥＤやブザー等で代替し、又はこれらと組み合わせる等、様々な形式で行うことができる。特に、異常状態を更に強調する意図で、前記ステップＳ３における接続報知とは異なる形式で報知することも考えられる。
【００８５】
一方、ステップＳ１０では、本体１１と記憶装置１とが接続されているので、マイコン２０は、前記ステップＳ６で取得した生体情報を、データバスＤ５及び端子２１を介して記憶装置１に送信する。このとき、記憶装置１のマイコン４は、この生体情報を端子２、データバスＤ１、アナログスイッチ３、データバスＤ２を介して受信し、データバスＤ４を介してＥＥＰＲＯＭ５に記憶させる。その後、マイコン２０は、ステップＳ１１に進む。
【００８６】
ステップＳ１１では、マイコン２０は、液晶表示部１５に、記憶装置１のＥＥＰＲＯＭ５に生体情報が記憶されたことを表す「メモリＯＫ」の文字を表示する。これにより、使用者は、生体情報の記憶が無事に行われたことを容易に認識することができる。もちろん、この文字表示も、ＬＥＤやブザー等で代替し、又はこれらと組み合わせてもよい。
【００８７】
前記ステップＳ１１の後、又は前記ステップＳ７でフラグセットが確認された場合、マイコン２０は、ステップＳ１２に進む。
【００８８】
ステップＳ１２では、マイコン２０は、前記ステップＳ６で取得した生体情報を、図４（ｃ）〜（ｅ）に例示する如く、順次、所定時間ずつ、所定回数だけ繰返して、液晶表示部１５に表示する。尚、図４（ｃ）は体重の表示例、図４（ｄ）は体脂肪率の表示例、図４（ｅ）は基礎代謝量の表示例である。更に多くの測定データ（内臓脂肪面積や骨量等）が取得されている場合も、或いは前記ステップＳ６で取得したのが個人データである場合も、同様に表示すればよい。また、このとき、マイコン２０は、これらの生体情報を、個人キー１７で特定された個人番号と共に、内部メモリたるＥＥＰＲＯＭ２６に保存する。その後、生体情報の表示が終了すると、全ての制御処理を終了し、電源を遮断する。
【００８９】
尚、前記ステップＳ７で確認されるフラグについて、このフラグは、生体情報の取得前である前記ステップＳ２で記憶装置１の未接続が確認された場合にセットされるものであるから、生体情報の取得後である前記ステップＳ７でこのフラグがセットされているということは、使用者が始めから自らの意志で記憶装置１を取外していることを意味する。
【００９０】
従って、前記ステップＳ７でフラグセットが確認された場合には、その後のステップＳ８で接続確認を行う必要はない（もしもこの接続確認を行うと、当然にステップＳ９に進むこととなって「メモリ未接続」の文字表示がなされ、使用者にとっては煩わしいものとなってしまう。）。また、この場合には、本体１１と記憶装置１とが未接続であることは使用者の意志に沿うものであって前述の如き異常状態ではないから、前記ステップＳ６で取得した生体情報の表示を許可し、即ち前記ステップＳ１２に進んで生体情報を液晶表示部１５に表示させるものである。
【００９１】
この結果、使用者が始めから自らの意志で記憶装置１を取外している場合には、個人キー１７の押下によってこの生体情報取得装置１０を起動した直後に「メモリ未接続」の文字表示がなされるだけで、生体情報の取得後にはそのまま取得した生体情報が表示されることになるため、使用者に煩わしさを感じさせることはない。
【００９２】
以上、本発明の好適実施例について説明してきたが、本発明はこの実施例の説明において適宜述べた如き種々の変形が可能であることは言うまでもない。また、本発明を適用し得る生体情報取得装置は、上述の実施例の如く両足間の生体電気インピーダンスを測定するタイプの体脂肪計付き体重計に限らず、両手間及び／又は手足間の生体電気インピーダンスを測定するタイプであってもよく、或いは体脂肪計付き体重計以外の、歩数計、血圧計、体温計等の生体情報取得装置であってもよい。
【図面の簡単な説明】
【００９３】
【図１】本発明による生体情報取得装置の外観図。
【図２】本発明による生体情報取得装置の回路構成を表す概略図。
【図３】本発明による生体情報取得装置で実行される制御処理を表すフローチャート。
【図４】図４（ａ）〜（ｅ）は、本発明による生体情報取得装置の液晶表示部の表示例を表す図。
【符号の説明】
【００９４】
１  記憶装置
２  端子
３  アナログスイッチ
４  マイコン
５  ＥＥＰＲＯＭ
１０  生体情報取得装置
１１  本体
１２  ロードセル
１３  入力スイッチ群
１４  電極群
１４ａ、１４ｂ、１４ｃ、１４ｄ  電極
１５  液晶表示部
１６  取付け部
１６ａ  開閉蓋
１６ｂ  嵌め込み孔
１７  電源投入スイッチ（個人キースイッチ群）
１７ａ、１７ｂ、１７ｃ、１７ｄ  個人キースイッチ
１８  電源遮断スイッチ
２０  マイコン
２１  端子
２２  秤回路
２３  入力回路
２４  インピーダンス回路
２５  表示出力回路
２６  ＥＥＰＲＯＭ
２７  電源回路
２８  電池
３０  情報処理装置
３１  端子
【図１】
2005224361.tif 000003
【図２】
2005224361.tif 000004
【図３】
2005224361.tif 000005
【図４】
2005224361.tif 000006